(57)【特許請求の範囲】
【請求項１】
光ディスクに対向配置されて往復動可能なキャリッジと、このキャリッジに取り付けられ、発光素子と受光素子を有すると共に、前記光ディスクに対して投受光を行う投受光部と、前記キャリッジに取り付けられ、前記投受光部を保持するホルダとを備えてなり、前記キャリッジは、平板部と、この平板部の両側部から直角方向に形成された一対の側壁部を有してコ字状となし、前記投受光部は、本体と、この本体の一方側に設けられた投受光面と、この投受光面と反対側に位置する前記本体の他方側から延びる電気端子を有し、前記ホルダは、底壁部と、この底壁部の両側部から直角方向に折り曲げられた一対の側壁部と、この側壁部の一端側に設けられ、前記投受光部の投受光方向を調整するための挿通孔からなる光軸調整部を有して、コ字状の前記キャリッジ内に取り付けられ、前記投受光部は、前記電気端子が前記光軸調整部側に位置した状態で、前記ホルダの前記側壁部の他端側に前記本体が取り付けられると共に、前記電気端子が前記ホルダ内に配置されたフレキシブル基板の切り起こし部のランド部に接続され、前記投受光面と反対側の前記電気端子側から前記ホルダの前記光軸調整部を操作することによって、前記ホルダを移動させると共に、前記ホルダを介して前記投受光部を移動して、前記投受光部の投受光方向を調整するようにしたことを特徴とする光ピックアップ。
【請求項２】
前記ホルダの一対の前記側壁間には、前記ホルダ内を第１，第２の空間部に仕切るための壁部が設けられ、前記第１の空間部には前記電気端子が配置されると共に、前記第２の空間部には、前記本体が配置され、フレキシブル基板の前記切り起こし部が前記壁部に沿って配置されたことを特徴とする請求項１記載の光ピックアップ。
【請求項３】
前記第１の空間部に位置する一対の前記側壁部には、位置決め部が設けられ、この位置決め部には、前記前記電気端子に接続された回路基板が取り付けられたことを特徴とする請求項２記載の光ピックアップ。
【請求項４】
前記ホルダには、前記電気端子と共に前記ホルダを被うカバーが取り付けられ、挿通孔からなる前記光軸調整部を該カバーから露出させてなる請求項１から３の何れかに記載の光ピックアップ。
【請求項５】
前記挿通孔は、２個並設され、その各挿通孔は、断面形状において、外側から内側に向かって、徐々に幅狭に形成した請求項４記載の光ピックアップ。
【請求項６】
前記投受光部の前記本体は、曲面部を設けた鍔状のステム部を有すると共に、前記ホルダには、前記曲面部を嵌合するための曲面溝が設けられたことを特徴とする請求項１から５の何れかに記載の光ピックアップ。
【発明の詳細な説明】
【０００１】
【発明の属する技術分野】
本発明は、光磁気ディスク等の光ディスクを用いた光ディスク装置に好適な光ピックアップに関するものである。
【０００２】
【従来の技術】
光ピックアップは、光ディスク装置に取り付けられて、レーザ光を光ディスクに入射させて、このディスク面に情報を記録したり、記録された情報を再生したりするものである。
【０００３】
図６及び図７において、従来の光ピックアップ５０は、ディスク装置に取り付けられて往復動するキャリッジ５１と、このキャリッジ５１に取り付く投受光部５２と、この投受光部５２に電気信号を供給するフレキシブル基板５３及び回路基板５４と、この回路基板５４を被うカバー５５とから構成されている。
【０００４】
投受光部５２には、金属製の本体５６と一体成形された鍔状のステム部５６ａが形成されて、この本体５６内にレーザダイオード等の発光素子及びフォトダイオードなどの受光素子、集積プリズム等の光学部品（図示せず）が収納されている。さらに、ステム部５６ａの両側面には、湾曲した曲面部５７が形成されていて、また、その底部には発光素子及び受光素子等の電子部品と導通した電気端子１００が外方に複数本突き出している。
なお、予めフレキシブル基板５３に設けた孔から電気端子１００を突き出させ、複数本からなる電気端子１００の一部をフレキシブル基板５３の孔のまわりに設けたランドに半田付けされている。
また、この電気端子１００と反対側の本体５６には、レーザ光が出入射する窓部を形成した投受光面５８が設けられている。
【０００５】
回路基板５４面には電子部品（図示せず）が半田付けされ、その周縁部には一部を切り欠いた溝部６０が形成されている。投受光部５２の電気端子１００を回路基板５４の溝部６０に挿通させて、半田付けさせることによって、電気端子１００と回路基板５４とを導通する。この回路基板５４は、投受光部５２の発光素子を安定して駆動させる回路を構成している。
【０００６】
カバー５５は１つの開口を備えるように金属板を折り曲げて形成された箱体であり、そのカバー５５の両側壁には一部を切り欠いて折り曲げた爪部６１が形成されている。
そして、上述した本体５６の底部にフレキシブル基板５３の一部及び回路基板５４を取り付け、後述する投受光部５２を取り付けるための位置調整を行ってから、カバー５５は、開口部分が投受光部５２のステム部５６ａに当接するように被せるようになっている。
【０００７】
キャリッジ５１には、本体６２と、この本体６２から同じ方向に、一定の間隔をもたせて長さの異なる２つの腕部６３ａ，６３ｂが延設されている。そして両方の腕部６３ａ，６３ｂの内側には段部６５及びこの段部６５に近接して凹部６６がそれぞれ形成されている。さらに段部６５には湾曲した溝部６７が形成され、凹部６６の内部には取付孔６８が形成されている。また、長い腕部６３ａには、その先端部分に切り欠き溝６４が形成されている。
このようなキャリッジ５１に投受光部５２を組み立てる場合において、溝部６７には投受光部５２の曲面部５７を嵌合させ、投受光部５２の取付位置を調整した後、カバー５５を後方から被せ、取付孔６８にカバー５５の爪部６１がスナップ止めされるようになっている。
なお、図７に示すように、キャリッジ５１には、対物レンズ８０を有する二軸アクチュエータ１１０が取り付け固定されていて、この二軸アクチュエータ１１０は、光ピックアップを光ディスク装置に搭載したときに、光ディスクに対して対物レンズ８０をフォーカス（上下）方向及びトラッキング（左右）方向に移動させるものである。
また、キャリッジ５１においては、切り欠き溝６４に図示しないシャフト棒を配して、キャリッジ５１が光ディスク装置内でシャフト棒に沿って移動するようになっている。
【０００８】
このように構成された光ピックアップ５０において、投受光部５２の取付位置を以下のとおり調整する。先ず、この光ピックアップ５０をディスク装置に載せて、検査用の光ディスク９０を回転させる。投受光部５２の投受光面５８から出射したレーザ光が、対物レンズ８０にて集光されて、光ディスク９０に入射する。そして光ディスク９０で反射した戻り光は、光ディスク９０へ出射したのと同じ光路を通って、投受光面５８に入射する。戻り光が受光素子にて電気信号に変換されたとき所定の出力値になるように、すなわち正確に受光素子に戻り光が戻るように、投受光部５２の位置を調整する。この投受光部５２の位置調整には、ステム部５６ａをクランプ治具でチャックした状態で、ステム部５６ａの曲面部５７を溝部６７に沿わせて回転させながら行う。所定の位置が決まったら、投受光部５２をキャリッジ５１に接着剤などで確実に固着している。
調整された後には、カバー５５を開口部分が投受光部５２のステム部５６ａの底部に当接するように被せ、爪部６１をキャリッジ５１の取付孔６８にスナップ止めする。
【０００９】
【発明が解決しようとする課題】
ところが、近年、光ディスク装置の薄型化にともなって、光ピックアップ５０も同様に薄型化が要求されている。この要求を充たすため、光ピックアップ５０の投受光部５２、すなわちレーザ光の出射位置から光ディスク９０までの光路長を短くする必要がある。また投受光部５２をキャリッジ５１の所定の位置に正確に調整するには、光ピックアップ５０を光ディスク装置に組み込み、検査テスト用の光ディスク９０をその光ピックアップ５０の真上に配置して回転させ、投受光部５２からレーザ光を光ディスク９０に向けて出射し、同じ光路を通って戻る反射光を投受光部５２内の受光素子で検出して行う必要がある。
しかしながら、従来、投受光部５２の位置調整には、ステム部５６ａの上側部と下側部からクランプ治具でチャッキングして、光ディスク９０と光ピックアップ５０との間に治具を入り込ませた状態で取付位置調整しなければならなかった。そのため、光ディスク９０と光ピックアップ５０との間には、この治具が入り込むための空間が必要となり、光ピックアップ５０の薄型化を妨げるという問題があった。
また、キャリッジ５０に投受光部５２を取り付けて位置調整するとき、カバー５５を取り付ける前に行う必要があった。そのため、この投受光部５２に取り付けた回路基板５４が露出していて、治具及び作業者の手が回路基板５４上の電子部品に触れ、静電破壊を起こす恐れがあった。
本発明は、以上の問題点に鑑み、治具にてその光ピックアップの取付位置調整が容易にでき、且つ薄型化が図れる光ピックアップ及びその光ピックアップを提供することを目的とする。
【００１０】
【課題を解決するための手段】
上記課題を解決するための第１の解決手段として、光ディスクに対向配置されて往復動可能なキャリッジと、このキャリッジに取り付けられ、発光素子と受光素子を有すると共に、前記光ディスクに対して投受光を行う投受光部と、前記キャリッジに取り付けられ、前記投受光部を保持するホルダとを備えてなり、前記キャリッジは、平板部と、この平板部の両側部から直角方向に形成された一対の側壁部を有してコ字状となし、前記投受光部は、本体と、この本体の一方側に設けられた投受光面と、この投受光面と反対側に位置する前記本体の他方側から延びる電気端子を有し、前記ホルダは、底壁部と、この底壁部の両側部から直角方向に折り曲げられた一対の側壁部と、この側壁部の一端側に設けられ、前記投受光部の投受光方向を調整するための挿通孔からなる光軸調整部を有して、コ字状の前記キャリッジ内に取り付けられ、前記投受光部は、前記電気端子が前記光軸調整部側に位置した状態で、前記ホルダの前記側壁部の他端側に前記本体が取り付けられると共に、前記電気端子が前記ホルダ内に配置されたフレキシブル基板の切り起こし部のランド部に接続され、前記投受光面と反対側の前記電気端子側から前記ホルダの前記光軸調整部を操作することによって、前記ホルダを移動させると共に、前記ホルダを介して前記投受光部を移動して、前記投受光部の投受光方向を調整するようにした構成とした。
【００１１】
また第２の解決手段として、前記ホルダの一対の前記側壁間には、前記ホルダ内を第１，第２の空間部に仕切るための壁部が設けられ、前記第１の空間部には前記電気端子が配置されると共に、前記第２の空間部には、前記本体が配置され、フレキシブル基板の前記切り起こし部が前記壁部に沿って配置された構成とした。
【００１２】
また第３の解決手段として、前記第１の空間部に位置する一対の前記側壁部には、位置決め部が設けられ、この位置決め部には、前記前記電気端子に接続された回路基板が取り付けられた構成とした。
【００１３】
また、第４の解決手段として、前記ホルダには、前記電気端子と共に前記ホルダを被うカバーが取り付けられ、挿通孔からなる前記光軸調整部を該カバーから露出させてなる構成とした。
【００１４】
また第５の解決手段として、前記挿通孔は、２個並設され、その各挿通孔は、断面形状において、外側から内側に向かって、徐々に幅狭に形成した構成とした。
【００１５】
また第６の解決手段として、前記投受光部の前記本体は、曲面部を設けた鍔状のステム部を有すると共に、前記ホルダには、前記曲面部を嵌合するための曲面溝が設けられた構成とした。
【００１６】
【発明の実施の形態】
以下、本発明の実施の形態を図面に基づいて説明する。
なお、従来の光ピックアップと同一の構成部材については、同一符号を付して詳細な説明を省略する。
図１において、光ピックアップ１は、金属製のキャリッジ２内に収納される、対物レンズ８０を備えた二軸アクチュエータ１１０と、該対物レンズ８０にレーザ光を出射し、また対物レンズ８０からの戻り光を入射する投受光部３を組み込んだホルダ４と、このホルダ４を被うカバー５から構成されている。
【００１７】
図２及び図３において、投受光部３は、金属製の本体６内に収納されて半導体レーザを発生するレーザダイオード等の発光素子及びフォトダイオード等の受光素子、集積プリズム等の光学部品（図示せず）からなり、この本体６の底部に鍔状のステム部７が形成されている。ステム部７の両側面には、湾曲した曲面部８が形成されていて、ステム部７の底部には、発光素子などの電子部品と導通する電気端子１００が外方に複数本突き出している。また投受光としてのレーザ光が出入射するため、ステム部７と反対側の本体６には、窓部を備えた投受光面９が設けられている。
【００１８】
フレキシブル基板１０には、その表面にほぼ直角に切り起こした切り起こし部１１が設けられ、さらに切り起こし部１１の先端をほぼ直角に折り曲げたＬ字状の折り曲げ片１２が形成されている。切り起こし部１１には、複数の穴１３が形成されていて、この穴１３に投受光部３の電気端子１００が挿通するようになっている。フレキシブル基板１０は、ラミネート構造をしていて、外部コネクタと電気的に接続するように回路パターン（図示せず）が埋設されている。
フレキシブル基板１０の複数の穴１３には、投受光部３の受光素子の電気端子１００が挿通され、半田付けされて、フレキシブル基板１００の回路パターンと受光素子の電気端子１００とが導通するようになっている。
【００１９】
回路基板３５には、発光素子から出射されるレーザ光を安定発振するための高周波重畳回路を構成する電子部品（図示せず）が半田付け形成されている。さらに、回路基板３５の周縁部には、切り欠き形成された２つの溝部３６と、この溝部３６と並んで形成された２つのラウンド３７が設けられている。
回路基板３５の溝部３６には、投受光部３の発光素子の電気端子１００が挿入されて、半田付け固定されるようになっている。ラウンド３７にはフレキシブル基板１０の折り曲げ片１２の端部が当接して、露出した回路パターンと半田付けされるようになっている。
【００２０】
図４に示すように、ダイキャスト成形又はモールド成形されたホルダ４は、開口１４を備えた１つの壁部１５と、該壁部１５を介して略Ｈ形状に繋がった２つの側壁部１６と、側壁部１６の一端部に設けた鍔部４ａと、底壁部１７とから構成されていて、該壁部１５によって第１の空間部Ｘと第２の空間部Ｙに仕切られている。
第１の空間部Ｘに配される側壁部１６端部には、内側に厚みをもたせた肉厚部１８がそれぞれ形成され、この肉厚部１８には側壁部１６の長手方向に貫通した挿通孔１９が形成されている。また、第１の空間部Ｘの両側壁部１６の内側には、細長い溝状の位置決め部２０が底壁部１７に直交する方向にそれぞれ対向して形成されている。
第２の空間部Ｙに配される側壁部１６内側には、壁部１５及び鍔部４ａ間に沿って受け部２１がそれぞれ形成されていて、フレキシブル基板１０を取り付けるようになっている。鍔部４ａには、開口１４を中心にして湾曲した曲面溝２２と、厚み方向に貫通した取付孔４５がそれぞれ形成されている。
【００２１】
図２に示すように、挿通孔１９の周縁部は、厚肉部１８表面から後述するカバー５のほぼ板厚み分突き出している。挿通孔１９は、図５に示すように、２個並設されていて、各挿通孔１９の断面形状は外側の丸棒Ｔの径より僅かに大きく形成された治具挿入部１９ａと、内側に向かって徐々に幅狭となるように延出した挟持部１９ｂとからなる。
【００２２】
カバー５は、１つの開口５ａを備えた金属製の箱体であり、その開口５ａに対向する側壁に２つの孔２３が並んで形成されていて、その開口５ａからホルダ４全体に被せて、カバー５の開口５ａ側に突出させた取付爪２４をホルダ４の取付孔４５に嵌入させて、その後取付爪２４の先端部を曲げることにより固定するようになっている。
【００２３】
キャリッジ２は、長方形をした金属製からなる平板部２５、この平板部２５の長手方向の両縁に沿って直角に立設された第１の側壁部２６と第２の側壁部２７とから構成されている。さらに、この側壁部２６，２７と同じように立設された第３の側壁部２９が、側壁部２６，２７の長手方向に、一定の空間をもたせて平板部２５と一体にそれぞれ設けられている。第３の側壁部２９には、貫通した丸孔３０が図示しないシャフト棒によって挿通される大きさにそれぞれ形成されている。第１の側壁部２６の一端には、切り欠き溝２８が形成されている。
そして、２つの丸孔３０にシャフト棒が嵌入して、切り欠き溝２８に上述したシャフト棒と平行に配されたもう１つのシャフト棒が嵌入して、２つのシャフト棒に規制されてキャリッジ２は移動できるようになっている。
【００２４】
図１に示すように、二軸アクチュエータ１１０は、アクチュエータベース１１１と、このアクチュエータベース１１１に可撓性をもって保持されたレンズホルダー１１２、レンズホルダー１１２に載置された対物レンズ８０及びこのレンズホルダー１１２と一体化したヨーク１１３とから構成されている。この二軸アクチュエータ１１０がキャリッジ２に取付固定されている。この二軸アクチュエータ１１０は、光ピックアップを光ディスク装置に搭載したときに、光ディスクに追従して、対物レンズ８０をフォーカス（上下）方向及びトラッキング（左右）方向に動かすようにしている。
【００２５】
このように構成された光ピックアップを組み立てるには、予めキャリッジ２に二軸アクチュエータ１１０を組み込んでおき、先ず、フレキシブル基板１０の切り起こし部１１に形成された穴１３に投受光部３の電気端子１００を挿通させて、必要に応じてフレキシブル基板１０の孔に設けられたランドと半田付け固定することにより、投受光部３にフレキシブル基板１０を組み込む。
次に、ホルダ４の位置決め部２０に回路基板３５の端部を差し込み、ホルダ４内に収納し、その後、上述したフレキシブル基板１０と一体化した投受光部３をこのホルダ４に組み込む。この投受光部３を組み込むとき、曲面溝２２にステム部７の曲面部８を嵌入するとともに、フレキシブル基板１０を受け部２１に差し込んで固定させる。投受光部３の電気端子１００は、壁部１５の開口１４に挿通されて、これら電気端子１００の一部が回路基板３５の溝部３６内に配されるように取り付けられる。さらに、これら電気端子１００と回路基板３５の溝部３６内に露出した図示しない回路パターンとが導通状態になるように半田付けされる。さらに、回路基板３５のラウンド３７もフレキシブル基板１０の折り曲げ片１２の先端に露出させた回路パターンと導通状態になるように半田付けされて、電源及びグランドの配線として使用される。
次に、ホルダ４を挿通孔１９側からカバー５で被い、この挿通孔１９とカバー５の孔２３とを一致させ、挿通孔１９の周縁部の突部をカバー５の孔２３に挿入するようにカバー５を組み込むとともに、取付爪２４がホルダ４の取付孔４５に取り付け固定される。
そして、カバー５を備えたホルダ４を、このホルダ４に取り付けた投受光部３の投受光面９が二軸アクチュエータ１１０と対向するように、キャリッジ２内に組み込み、ホルダ４の取付位置を調整する。
【００２６】
この取付位置調整では、光ピックアップ１を光ディスク装置に実際に取り付けて検査テスト用の光ディスク９０をその光ピックアップ１の真上に配して行う。このとき、投受光部３とホルダ４は光ディスク９０面に対して並設され、投受光部３が設けられた面と対向する側の面に設けられたカバー５の孔２３及びホルダ４の挿通孔１９の治具挿入部１９ａに治具の丸棒Ｔを向けて、光ディスク９０面と平行に挿入し、２つの丸棒Ｔをつぼめる方向に移動させ、丸棒Ｔを徐々に径が狭くなった挟持部１９ｂに当接させることにより、治具でホルダ４をチャッキングする。
投受光部３の投受光面９から出射させたレーザ光は対物レンズ８０にて集光させ、検査テスト用の光ディスク９０面（記録情報）に入射する。そして光ディスク９０面で反射して、その反射で戻った反射光の光量が投受光部３の受光素子で所定の電気信号に変換されるように投受光部３を治具を操作することにより上下左右あるいは回転方向に取付位置調整される。所定の電気信号が得られたら、その位置を保持した状態で接着剤などを用いて投受光部３をキャリッジ２に確実に接着固定する。
治具挿入部１９ｂは治具の丸棒Ｔより径が大きいので治具の挿入がし易い。また、挟持部１９ｂは治具挿入部１９ａから内側にかけて徐々に幅狭となっているためホルダ４をぐらつかせることなく確実にチャックキングすることができ、位置調整の精度を高めることができる。
なお、挿通孔１９の代わりに肉厚部１８の端面から突出させた突起部を設けて、カバー５の孔２３からこの突起部を露出させるように、カバー５をホルダ４に取付固定して、この突起部に治具を係合させて、投受光部３を上下左右あるいは回転方向に動かして取付位置を調整してもよい。すなわち、ここで挿通孔１９は治具に取り付く光軸調整部であればよく、その他種々の形状が考えられる。
【００２７】
【発明の効果】
以上説明してきたように、本発明によれば、光ディスクに対向配置されて往復動可能なキャリッジと、発光素子と受光素子を有し光ディスクに対して投受光を行う投受光部と、キャリッジに取り付けられるとともに光ディスク面に沿った方向に対向する側面のうち一方の側面に投受光部を保持するホルダとを備えてなり、且つ、ホルダの投受光部が保持された側と対向する側の面には光軸調整部が設けられ、光軸調整部を操作することにより投受光部の投受光方向を調整したので、投受光部の位置決め調整をする際に、光ディスクとキャリッジ間に治具を入り込ませる必要がないため、光ディスクと光ピックアップ装置間を極力近づけることができるとともに、光ピックアップを薄型化できる。
【００２８】
またホルダを被うカバーが取り付けられ、カバーからホルダの光軸調整部を露出しているので、カバーを装着した状態で投受光部の取付位置を調整できる。したがって、カバーで被われているので、従来の作業中に、誤って回路基板や実装した電子部品に手を触れて静電破壊などを破損することを確実に防止することができる。
【００２９】
またホルダの面に設けられた挿通孔は２個並設され、その各挿通孔は、断面形状において、外側から内側に向かって徐々に幅狭に形成したので、治具の差込みが容易であり、かつ取付位置の調整精度を高めることができる。
【００３０】
また、従来、回路基板を手に持った状態で投受光部に取り付けていたが、ホルダに位置決め部を設けたことにより、この位置決め部に回路基板を差し込んで組み込めるので、より簡単に取付位置を調整できる。
【００３１】
さらに本発明の光ピックアップの組み立て方法にあっては、光軸調整部を有するホルダに回路基板を搭載し、投受光部を該ホルダに組み込む工程と、カバーをホルダに取り付け、該カバーから光軸調整部を露出する工程と、キャリッジにホルダを載置し、光軸調整部に治具を取り付けて、該治具の操作により、ホルダのキャリッジへの取付位置を調整し、投受光部の出入射する投受光の方向を調整する工程からなるので、光ピックアップが薄型化して光ディスクと光ピックアップとの距離が小さくなっても、簡単且つ確実に光ピックアップの投受光部の取付位置を調整することができる。
【図面の簡単な説明】
【図１】本発明の光ピックアップの斜視図である。
【図２】本発明のカバーをはずした状態での光ピックアップの一部を示した拡大斜視図である。
【図３】本発明の光ピックアップの分解斜視図である。
【図４】本発明の光ピックアップのホルダの拡大斜視図である。
【図５】本発明の光ピックアップのホルダの挿通孔を説明する説明図である。
【図６】従来の光ピックアップの一部分解斜視図である。
【図７】図６の光ピックアップの一部側面図である。
【符号の説明】
２  キャリッジ
３  投受光部
５  カバー
４  ホルダ
１０  フレキシブル基板
１９  光軸調整部（挿通孔）
２０  位置決め部
５４  回路基板
９０  光ディスク
【図１】
0003578619.tif 000002
【図２】
0003578619.tif 000003
【図３】
0003578619.tif 000004
【図４】
0003578619.tif 000005
【図５】
0003578619.tif 000006
【図６】
0003578619.tif 000007
【図７】
0003578619.tif 000008